(57)【要約】【課題】リップ処理の部分プロセス及びこれに伴うデジタル印刷あるいは本の加工のプロセス全体を短縮することが可能な、コンピュータ支援されたプリプレスにおいて印刷ジョブを処理するための方法を提供すること。【解決手段】コンピュータ支援されたプリプレスにおいて印刷ジョブを処理するための方法において、印刷ジョブの１つの印刷製品のページのみがコンピュータを用いて組み付けられ、組み付けられたページＤが生成され、組み付けられ、かつ、少なくとも１つの追加的な情報要素Ｃの収容のために設けられた複数のページＤが、コピー後に印刷ジョブの追加的な情報要素Ｃの収容のために必要な、組み付けられ、かつ、コピーされたページＣの数を有するようコピーされる。【選択図】図４
2016221959.tif 000002
【特許請求の範囲】
【請求項１】
コンピュータ支援されたプリプレスにおいて印刷ジョブを処理するための方法であって、前記印刷ジョブがそれぞれ複数の異なるページ（Ａ）を備えた同一の印刷製品（Ｂ）の数を含み、前記印刷ジョブの前記印刷製品（Ｂ）のうち少なくとも１つが少なくとも１つの追加的な情報要素（Ｃ）を有する少なくとも１つのページ（Ａ）を備えており、この追加的な情報要素（Ｃ）が、前記印刷ジョブの他の印刷製品（Ｂ）の少なくとも１つの、別の追加的な情報要素（Ｃ）を有するもののそれ以外は同一であるページ（Ａ）の別の追加的な情報要素（Ｃ）とは異なっており、前記印刷ジョブの前記印刷製品（Ｂ）の前記ページ（Ａ）がコンピュータで読取可能なページ記述言語で、前記印刷ジョブの前記追加的な情報要素（Ｃ）がコンピュータで読取可能な形態で、前記プリプレスにおける前記印刷ジョブの処理に用いられるコンピュータへ伝達される、前記方法において、
・印刷ジョブの１つの印刷製品（Ｂ）の前記ページ（Ａ）のみがコンピュータを用いて組み付けられ、このとき、組み付けられたページ（Ｄ）が生成されること、
・組み付けられ、かつ、少なくとも１つの前記追加的な情報要素（Ｃ）の収容のために設けられた複数のページ（Ｄ）のうち少なくとも１つが、当該コピー後に前記印刷ジョブの前記追加的な情報要素（Ｃ）の収容のために必要な、組み付けられ、かつ、コピーされたページ（Ｄ）の数が正確に存在するようコピーされること、
・前記追加的な情報要素（Ｃ）が、該情報要素の収容のために設けられ、組み付けられた少なくとも１つの前記ページと、コピーされた少なくとも１つの前記ページ（Ｄ）へ組み込まれること、
・組み付けられた前記ページ及びコピーされた前記ページ（Ｄ）の印刷順序を含むデジタルの処理リスト（Ｅ）が前記印刷ジョブから生成されること、
・当該ページへ組み込まれた前記追加的な情報要素（Ｃ）を有する、組み付けられ前記ページと、コピーされた少なくとも１つの前記ページ（Ｄ）と、追加的な情報要素を有さない別の組み付けられたページ（Ｄ）とがリップ処理されること、
・リップ処理された前記ページ及び前記デジタルの処理リスト（Ｅ）が前記印刷ジョブの前記印刷製品（Ｂ）を印刷するデジタル印刷機械に提供されること
を特徴とする方法。
【請求項２】
前記印刷製品（Ｂ）の前記ページ（Ａ）及び前記印刷ジョブの前記追加的な情報要素（Ｃ）が、分離された入力データ（１，２）又は共通の入力データの形態でコンピュータへ伝達されることを特徴とする請求項１記載の方法。
【請求項３】
前記コンピュータで読取可能なページ記述言語としてＰＤＦフォーマットが用いられることを特徴とする請求項１又は２記載の方法。
【請求項４】
前記追加的な情報要素（Ｃ）が、少なくとも１つの電子的なデータベース及び／又は少なくとも１つのデータから前記プリプレスにおいて用いられるコンピュータへ伝達されることを特徴とする請求項１〜３のいずれか１項に記載の方法。
【請求項５】
同一の前記印刷製品（Ｂ）のうち少なくとも１つと同一の少なくとも１つの追加的な情報要素（Ｃ）を備えた追加的な同一の印刷製品（Ｂ’）の数を有する印刷ジョブの場合、前記デジタルの処理リスト（Ｅ）が、この追加的な同一の印刷製品（Ｂ’）だけ補足されることを特徴とする請求項１〜４のいずれか１項に記載の方法。
【発明の詳細な説明】
【技術分野】
【０００１】
本発明は、コンピュータ支援されたプリプレスにおいて印刷ジョブを処理するための方法であって、前記印刷ジョブがそれぞれ複数の異なるページを備えた同一の印刷製品の若干数を含み、前記印刷ジョブの前記印刷製品のうち少なくとも１つが、前記印刷ジョブの他の印刷製品の少なくとも１つの更に別の同一ページの別の追加的な情報要素とは異なる少なくとも１つの追加的な情報要素を有する少なくとも１つのページを備えており、コンピュータで読取可能なページ記述言語での前記印刷ジョブの前記印刷製品の前記ページと、コンピュータで読取可能な形態での前記印刷ジョブの前記追加的な情報要素とが、前記プリプレスにおける前記印刷ジョブの処理に用いられるコンピュータへ伝達される、前記方法に関するものである。
【背景技術】
【０００２】
従来のオフセット印刷においては、後の印刷製品の全てのページを含む印刷基板が連続して間接的に印刷され、すなわちインクが１つの印刷機構において複数の印刷胴を介して、すなわち版胴からブランケット胴を介して印刷基板へ伝達される。異なる色を塗布するために、複数の印刷機構が直列に接続される。このとき、まず、多数の第１の印刷用紙又はそれぞれ同一のフォーマット及び同一の内容を有する多数の第１のページが生成される。その後、印刷機械が改造され、再び複数の他の印刷用紙又は同様に互いの間で同一のフォーマット及び同一の内容を備えた複数の他のページが加工される。製造すべき印刷製品に応じて、更なる印刷用紙又はページが生成され、印刷機械は、そのために新たに改造される。それぞれ分離されたスタックで中間貯蔵された印刷用紙及び／又はページは、後続のプロセスステップにおいて、印刷製品のために設けられた順序で収集され、必要に応じて必要なフォーマットへ折りたたまれ、つづいて断裁され、製本される。特により大きな個数及び大きな版に適したこの方法においては、原則的にはその前に生成された同一の印刷用紙及び／又はページの数に相当する多数の同一の印刷製品が生じる。
【０００３】
これに対して、デジタルデータに基づくデジタル印刷においては、印刷基板は、直接連続して、異なる内容及び／又はフォーマットでもって直接、すなわち印刷胴を用いたインクの伝達なしに印刷されることが可能である。この場合、途中で行われる印刷機械の改造が不要である。加えて、それぞれ生成されるべき印刷製品のために必要なページ順序（シーケンス）において印刷を行うことが可能である。したがって、このような印刷方法は、シーケンシャル印刷とも呼ばれる。印刷後には、印刷用紙及び／又はページが必要に応じて、同様に必要なフォーマットへ折りたたまれ、収集され、断裁され、製本される。この方法は少量生産から単一製品の製造に対して特に経済的であることが実証された。
【０００４】
デジタル印刷の開発中に、実際の印刷方法及びこれにつづく中間製品の更なる処理のみならず、印刷の前のプロセス、いわゆるプリプレスにも本質的な変更がなされた。したがって、今日では、印刷製品の製造に必要なデータが、既にコンピュータで読取可能なページ記述言語、例えばＰＤＦデータ（ポータブルドキュメントフォーマット）として存在するか、又は前もってこのようなページ記述言語へ変換された。このとき、文章、グラフィック及び画像という要素のうち少なくとも１つを備えた印刷すべきページについてのオリジナルの原型から、印刷及びこれにつづく更なる処理に必要な全ての情報を有するデジタルページあるいはデジタル印刷用紙がコンピュータ支援されたプリプレスにおいて構成される。通常は唯一のコンピュータワークステーションにおいて行われる少なくとも１つの印刷用紙への複数のページの集約と、後の印刷並びに設定された順序での折りたたみ及び集約が連続するように印刷用紙におけるこれらのページの配置は、組み付け（Ａｕｓｓｃｈｉｅｓｓｅｎ）と呼ばれる。その結果において、電子文書は、いわゆる組み付けられたページとして、あるいは組み付けられたデータとして、例えばＰＤＦフォーマットで存在する。これにつづき、組み付けられた個々の各ページは、ラスタイメージプロセッサ（ＲＩＰ）において機器特有の、デジタル印刷機械で読取可能なデータフォーマット（例えば二次元のラスタグラフィックフォーマット「ウィンドウズビットマップ」）へ変換される。この変換過程は、「リップ処理」又は「スクリーニング」と呼ばれる。このように生成された機器特有のデータフォーマットあるいは少なくとも１つのこのデータフォーマットを含むデータは、最終的に、印刷基板上へのページ及び／又は印刷用紙の各印刷を引き起こすものである（非特許文献１参照）。
【０００５】
現在の印刷ジョブに基づき、従来技術から知られている方法でデジタル印刷ごとに例えば本として形成された、それぞれ特定のページに設けられ、本の買い手に対する付加価値を示す追加的な情報要素によって区別されるそれぞれ１２０の同一のページを有する１０の印刷製品が印刷されるべき場合には、これら１２０のページが、まずはコンピュータで読取可能なページ記述言語（例えばＰＤＦフォーマット）において存在する。さらに、製作されるべき本ごとに適当な追加的な情報要素、例えばバーコード、文章、広告又はグラフィックがコンピュータで読取可能な形態で提供される。例えばインターネットによって評価可能な、このような追加的な情報要素によって、買い手は、例えば追加的な内容、ビデオ、講座などへのアクセスを行うことが可能である。このとき、このアクセスが本のごとに一度だけ提供されれば合目的である。
【０００６】
１２０のページ及び情報要素に基づき、全ページ及びそれぞれ対応するページに配置された情報要素を有する各本を含む、拡張されたデータとも呼ばれる処理されたデータが生成される。したがって、処理されたデータは、１０冊の本×１２０ページの大きさ、すなわち１２００のページを備えている。
【０００７】
これにつづいて、処理されたデータの１２００ページは、本の設定されたフォーマット及びこれに関連する折り体系に合わせて組み付けられる。いわゆるＦ２４折り体系の使用時、すなわち製造される各本の（それぞれ前側及び背側を有する）印刷用紙ごとにそれぞれ２４ページが集約される場合には、５０の印刷用紙、すなわち１００の組み付けられたページを有する組み付けられたデータが生じる。
【０００８】
別の方法ステップでは、組み付けられたデータがリップ処理され、すなわちその１００の組み付けられたページがデジタル印刷機械によって必要とされるデータフォーマットへ変換される。しかし、このとき、組み付けられたデータの多くの内容が多重コピーで存在している。リップ処理時には、組み付けられた個々の各ページがデジタル印刷機械のデータフォーマットへ変換されるため、従来技術のこの方法においては、同一の演算を複数回行わなければならない。しかしながら、印刷ジョブ及びこの印刷ジョブの個々の各本の大きさに応じて、ページに含まれる要素（文章、グラフィック、画像）に応じて、並びに印刷ジョブの処理のためにプリプレスにおいて用いられるコンピュータに応じて、リップ処理に時間がかかることがあり得る。したがって、このために必要な時間は、複数秒からほぼ１時間に達する可能性がある。組み付けられたデータの少なくとも一部がリップ処理された後に初めて、後からそれぞれ５枚の印刷用紙が本ブロックへ収集され、最終的に１０の設定された本が製本される。
【０００９】
したがって、無端ベルトの範囲でのデジタル印刷機械、及び特に印刷用紙のインライン処理を有するデジタル印刷システム、すなわちデジタル印刷機械によって生成される印刷用紙が直接印刷製品へ更に処理される、例えば本出願人の本生産ライン「ＳｉｇｍａＬｉｎｅ」のような印刷機械システムにおいては、リップ処理が経済的な本の印刷あるいは経済的な本の生産に対する制限された因子であることが立証され得る。
【先行技術文献】
【非特許文献】
【００１０】
【非特許文献１】Ｈａｎｄｂｕｃｈ  ｄｅｒ  Ｐｒｉｎｔｍｅｄｉｅｎ，Ｓｐｒｉｎｇｅｒ出版社、２０００年、ＩＳＢＮ  ３−５４０−６６９４１−８、第５２２ページ以降、第５６１ページ以降、第７０２ページ以降
【発明の概要】
【発明が解決しようとする課題】
【００１１】
したがって、本発明の課題は、リップ処理の部分プロセス及びこれに伴うデジタル印刷あるいは本の加工のプロセス全体を短縮することが可能な、コンピュータ支援されたプリプレスにおいて印刷ジョブを処理するための方法を提供することにある。
【課題を解決するための手段】
【００１２】
上記課題は、請求項１の特徴部分による方法によって解決される。この方法の有利な実施形態は、各従属請求項の対象である。
【００１３】
本発明による方法においては、１つの印刷ジョブのただ１つの印刷製品のページのみがコンピュータを用いて組み付けられ、このようにして、組み付けられたページが生成される。組み付けられ、このとき少なくとも１つの印刷用紙へ集約されるページは、これらページが最終的な印刷製品において、すなわち印刷後並びにその後の印刷用紙の折りたたみ後及び収集後に設定された順序で連続するように配置されている。
【００１４】
その後、組み付けられ、かつ、少なくとも１つの追加的な情報要素の収容のために設けられた複数のページのうち少なくとも１つが、当該コピー後に印刷ジョブの追加的な情報要素の収容のために必要な、組み付けられ、かつ、コピーされたページの数を正確に有しているようにコピーされる。したがって、印刷ジョブに応じて、すなわち印刷製品のどのくらいのページが、及びどのようなページが少なくとも１つの追加的な情報要素を含むべきかに応じて、組み付けられた少なくとも１つの追加的な情報要素の収容のために設けられた全てのページが、少なくとも一度及び印刷ジョブの印刷製品の数において最大にコピーされる。
【００１５】
つづいて、追加的な情報要素が、該情報要素の収容のために設けられ、組み付けられ、かつ、少なくとも１つのコピーされた少なくとも１つのページへ組み込まれる。加えて、組み付けられ、かつ、コピーされたページの印刷順序を含むデジタルの処理リストが印刷ジョブから生成される。
【００１６】
その後、少なくとも１つの組み付けられたページと、当該ページへ組み込まれた追加的な情報要素をもつ少なくとも１つのコピーされたページと、追加的な情報要素を有さない別の組み付けられたページとがリップ処理され、すなわちデジタル印刷機械によって読取可能なデータフォーマットへ変換される。
【００１７】
最後に、印刷ジョブの印刷製品を印刷するデジタル印刷機械のリップ処理されたページ及びデジタルの処理リストが提供される。
【００１８】
本発明による方法により、印刷ジョブにおいて複数回にわたって現れるページは有利に一回のみ処理され、すなわち組み付けられ、かつ、リップ処理される。したがって、従来技術とは異なり、本方法により、印刷ジョブの比較的少ないページを処理すればよい。このように、特にリップ処理の部分プロセス及びこれにより当然デジタル印刷あるいは本の製造のプロセス全体を大幅に短縮することが可能である。加えて、本方法は、特に有利に、リップ処理に関連するハードウェア及びソフトウェアの追加の変更なく実現されることができ、したがって、追加のコストなく、コンピュータ支援されたプリプレスにおける印刷ジョブの処理のための既に存在する方法経過へ統合されることが可能である。
【００１９】
本発明による方法の一実施形態においては、印刷製品のページ及び印刷ジョブの追加的な情報要素が、具体的な応用ケースに応じて、分離された入力データ又は共通の入力データの形態でコンピュータへ伝達される。分離された入力データの利用時には、印刷製品のページに対しても、また追加的な情報要素に対しても、それぞれ１つ又はそれぞれ複数の入力データが用いられる。
【００２０】
本発明の方法の他の実施形態においては、コンピュータで読取可能なページ記述言語としてＰＤＦフォーマットが用いられる。これにより、これらデータセットが有利には標準化されたデータフォーマットにおいて模写され（ａｂｇｅｂｉｌｄｅｔ）得る。
【００２１】
本発明の方法の他の実施形態においては、追加的な情報要素が、少なくとも１つの電子的なデータベース及び／又は少なくとも１つのデータからプリプレスにおいて用いられるコンピュータへ伝達される。このとき、これら両選択肢間の選択は、具体的な応用ケースに合わせて行われる。
【００２２】
本発明の方法の他の実施形態においては、同一の印刷製品の少なくとも１つと同一の少なくとも１つの追加的な情報要素を備えた同一の印刷製品の数を有する印刷ジョブにおいて、デジタルの処理リストが、この追加的な同一の印刷製品の数だけ補足される。したがって、この場合、デジタルの処理リストは、組み付けられ、かつ、コピーされたページの印刷順序に加えて、同一の追加的な情報要素を有する同一の印刷製品の数も含んでいる。これにより、好ましくは、従来技術に比べて大幅にわずかな手間を伴う、それぞれ追加的な情報要素と、更に同一の印刷製品に対して少なくとも１つのそれぞれ同一の情報要素を有する同様に同一の印刷製品の適宜の数とを備えたこのような印刷ジョブも有利に実現されることができる。
【００２３】
以下に、本発明を実施例に基づき詳細に説明する。
【図面の簡単な説明】
【００２４】
【図１】実際の印刷ジョブのページを有する第１の入力データを示す図である。
【図２】実際の印刷ジョブの異なる情報要素を有する第２の入力データを示す図である。
【図３】実際の印刷ジョブの組み付けられたページを有する第３のデータを示す図である。
【図４】組み付けられ、かつ、コピーされたページ並びにこれらに組み込まれた情報要素を有する修正された第３のデータを示す図である。
【図５】修正された第３のデータに基づくそれぞれ製造されるべき印刷製品への情報の割当てを有するデジタルの処理リストを示す図である。
【図６】処理リストに基づき処理されるべき印刷製品の印刷順序を示す図である。
【発明を実施するための形態】
【００２５】
従来技術の説明において記載した例と同様に、デジタル印刷ごとの印刷ジョブにより例えば１０冊の本として形成された、同一の１２０のページＡをそれぞれ有する印刷製品Ｂが印刷されるようになっている（図１）。この印刷ジョブの各印刷製品Ｂは、印刷ジョブの他の印刷製品Ｂの情報要素Ｃとは異なる追加的な情報要素Ｃ（図２）を有するページＡを備えるようになっている。このとき、各印刷製品Ｂにおける追加的な情報要素Ｃは、同一のページＡ又は異なるページＡに設けられることができるが、それぞれ少なくとも２つの追加的な情報要素Ｃが他の印刷し得品Ｂの同一のページに設けられている。これに代えて、印刷ジョブのただ１つの印刷製品Ｂ、しかし少なくとも２つの印刷製品Ｂが追加的な情報要素Ｃを有するこのようなページＡを備えることも当然可能である。同様に、印刷製品Ｂごとに複数のページＡも追加的な情報要素Ｃを備えることができるか、１つより多くの情報要素Ｃを有するページＡが存在し得る。
【００２６】
１０個の印刷製品Ｂ１．．．Ｂ１０に対する上述の印刷ジョブに基づき、印刷ジョブの処理のためのプリプレスにおいて用いられるコンピュータには、１２０のページＡ１．．．Ａ１２０のページがコンピュータで読取可能なページ記述言語、例えばＰＤＦフォーマットで存在するとともに、１０の異なる情報要素Ｃ１．．．Ｃ１０（図２）がコンピュータで読取可能な形式で存在しており、情報要素Ｃ１．．．Ｃ１０は、それぞれ印刷製品Ｂ１．．．Ｂ１０の同じページに設けられるようになっている。このとき、１２０のページＡ１．．．Ａ１２０も、また１０の情報要素Ｃ１．．．Ｃ１０も、それぞれ少なくとも１つの分離された入力データ１，２（図１，図２）において又は共通の入力データにおいてもメモリされることが可能である。
【００２７】
１２０のページＡ１．．．Ａ１２０は、プリプレスにおいて用いられるコンピュータによって、印刷製品Ｂ１．．．Ｂ１０及びこれに関連する折り体系の設定されたフォーマットに合わせて組み付けられる。このとき、同様に行われるＦ２４折り体系の利用時には、５枚の印刷用紙すなわち１０の組み付けられたページを有する第３のデータ３が生じる（図３）。
【００２８】
その後、本印刷ジョブに基づき、異なる内容の収容のために、すなわち情報要素Ｃ１．．．Ｃ１０のうち１つの収容のために設けられている、組み付けられたページＤ１のみが９回コピーされる。印刷ジョブの全ての１０の印刷製品Ｂ１．．．Ｂ１０のその他のページＤ２．．．Ｄ１０は同一である。したがって、コピーの後、第３のデータ３は、以下に記載する１９のページを備えている：
・以下ではＤ１．１と記載される、コピーに用いられる組み付けられたページＤ１、
・組み付けられたページＤ１．１の、Ｄ１．２．．．Ｄ１．９と記載される９つのコピー、
・残りの９の組み付けられたページＤ２．．．Ｄ１０．
【００２９】
つづいて、それぞれ必要な情報要素Ｃ１．．．Ｃ３がコピーされたページＤ１．２．．．Ｄ１．１０及びマスターコピーとしての役割を担う組み付けられたページＤ１．１へ設定される（図４）。つづいて、このように修正された第３のデータ３’あるいはその１９のページＤ１．１．．．Ｄ１．１０及びＤ２．．．Ｄ１０がリップ処理される。
【００３０】
本質的に、組付又はリップ処理と並行して、ただし遅くともリップ処理後に、印刷ジョブに基づきデジタルの処理リストＥが生成され（図５）、この処理リストは、印刷ジョブの各印刷製品Ｂ１．．．Ｂ１０のページＡの設定された印刷順序を含んでいる。最後に、リップ処理された１９のページ及びデジタルの処理リストＥは、印刷ジョブを処理する、すなわち印刷製品Ｂ１．．．Ｂ１０のページＡ１．．．Ａ１２０を印刷するデジタル印刷機械へ供給される。実際の印刷ジョブの１０の印刷製品Ｂ１．．．Ｂ１０の連続して印刷されるべきページＤ１．１．．．Ｄ１０、Ｄ１．２．．．Ｄ１０，ないしＤ１．１０．．．Ｄ１０が、図６において矢印４で示されている。当然、印刷を逆に又は他の順番で行うことも可能である。
【００３１】
印刷ジョブに応じて、コピーすべき組み付けられたページと、これによるリップ処理のために設定された、修正されたデータ３’のページの他の数も生じ得る。しかしながら、組み付けられ、かつ、少なくとも１つの追加の情報要素の収容のために設けられた全てのページＤが少なくとも１回、最大で印刷ジョブの印刷製品Ｂの数においてコピーされ、対応する情報要素Ｃの組み込み後にリップ処理されることが一般にいえる。
【００３２】
１００ページがリップ処理される必要のある冒頭に記載した従来技術の方法に対して、例示的に説明した本発明による方法により、１９のページのみがリップ処理されるべきである。これにより、この方法においては、リップ処理の部分プロセスのために必要な処理時間を有利には約２０％へ低減することが可能である。
【００３３】
例えば、それぞれ少なくとも１つの異なる追加的な情報要素Ｃを有する同一の印刷製品の第１の数のほかに、同一の印刷製品Ｂの追加的な情報要素Ｃの少なくとも１つと同一の追加的な識別要素Ｃを有する同一の印刷製品Ｂ’の第２の数が印刷されるべき１つの印刷ジョブがあるとすれば、デジタルの処理リストＥは、単にこの追加の同一の印刷製品Ｂ’の第２の数だけ補足される。これにより、このような印刷ジョブも比較的わずかな手間で実行することが可能である。
【図１】
2016221959.tif 000003
【図２】
2016221959.tif 000004
【図３】
2016221959.tif 000005
【図４】
2016221959.tif 000006
【図５】
2016221959.tif 000007
【図６】
2016221959.tif 000008